(57)【要約】【課題】本発明は、間伐材を用いた柱材の切断面を化粧にした集柱体を舗装材とする複数の無垢の木の柱材を集成した集柱体を提供。【解決手段】間伐材の90mm角(仮定寸法)の柱材を長さ60mm(レンガ厚) 程度に切断した柱材単体３の転倒防止突起２を複数設け、複数の孔４を開けた格子状の板材１に複数個の柱材単体３を差込みビス５で固定して90mm角耐磨耗木レンガ集柱体６を形成する。その場合、切断面(小口)を上にすることで磨耗に強い90mm角耐磨耗木レンガ集柱体６となり、軽量で磨耗に強い無垢の木の木レンガ舗装が構築できる。さらに、階段の蹴上分厚い90mm角階段用耐磨耗木レンガ集柱体８を用いることで階段が容易に且つ安価で構築できる。【選択図】  図１
2011038255.tif 000002
【特許請求の範囲】
【請求項１】
複数の無垢の木の柱材を集成した集柱体であって
使用目的に合わせた寸法に切断した柱材単体の転倒防止突起を複数設け、複数の孔を開けた格子状の板材に複数の柱材単体を差込み、固定して形成することを特徴とする複数の無垢の木の柱材を集成した集柱体。
【請求項２】
前記、複数の孔を開けた格子状の板材に複数の柱材単体を差込み、ビス固定して、形成することを特徴とする請求項１記載の複数の無垢の木の柱材を集成した集柱体。
【請求項３】
無垢の木の柱材をレンガ厚程度に切断して、複数の孔を開けた格子状の板材に複数の柱材単体を差込み、ビス固定して、耐磨耗木レンガ集柱体に形成することを特徴とする請求項２記載の複数の無垢の木の柱材を集成した集柱体。
【請求項４】
無垢の木の柱材を複数の寸法に切断して形成した、厚さの異なる集柱体を組合せて、階段を構成することを特徴とする請求項２記載の複数の無垢の木の柱材を集成した集柱体。
【請求項５】
無垢の木の柱材をスロープ状に切断して形成した集柱体と、厚さの異なる集柱体を組合せてスロープを構成し、段差をスロープで解消することを特徴とする請求項２記載の複数の無垢の木の柱材を集成した集柱体。
【請求項６】
無垢の木の柱材を複数の異なる寸法に切断し、複数の柱材単体を手摺子として利用し手摺を形成することを特徴とする請求項２記載の複数の無垢の木の柱材を集成した集柱体。
【請求項７】
無垢の木の柱材を門柱の長さの寸法に切断して、ポストユニットと組み合わせて門柱を形成することを特徴とする請求項２記載の複数の無垢の木の柱材を集成した集柱体。
【請求項８】
無垢の木の柱材の切断面を化粧面とし、無垢の木の柱材の切断寸法で全ての使用目的を達成させることを特徴とする請求項２記載の複数の無垢の木の柱材を集成した集柱体。
【発明の詳細な説明】
【技術分野】
【０００１】
本発明は、一般歩道や玄関アプローチ、ベランダーやバルコニー、屋上等に使用されている舗装ブロックやユニット床材等に関する。
【背景技術】
【０００２】
最近では、太陽の輻射熱防止と心地よい高級感のある床を構築することを目的として、ベランダーやバルコニー、屋上等の下地上に、複数枚の床材を敷き詰めるという工法も取られるようになってきている。その床材としては、合成樹脂を矩形状に成形した枠体(マット)の上面に、合成樹脂、ラバー、木レンガ等の表面材を一体的に成形したものが使用されている(例えば実開平５−８５９２９号公開)。
【０００３】
また、一般歩道や玄関アプローチ等は、コンクリート製カラーブロックが一般的に使われ普及しているが地球温暖化防止に対応できる素材ではない。
【０００４】
他方、間伐材を活用した天然木製床材の天然木タイルが開発されている。これらは無垢の木を多種多様な形状にタイル加工をして複数枚をブロック形成して補強細棒材また固定金具でブロック固定をして追随性付着ネットを貼った木製タイルブロックがあるが、これら、木製タイルブロックは、階段等の段差処理ができるものではない。また、木製タイルブロックが普及しないのは利用目的に合わせた役物がないこととコストが高くつくことにある。
【０００５】
しかしながら、間伐材などの天然の木製床材等を普及させることは、植樹林の保全と林業の活性化が図れると共に、地球温暖化を防止するためにも大切である。
【０００６】
なお、本願発明に関連する公知技術として、木製タイルブロック（特許文献１参照）を挙げることができる。
【０００７】
【特許文献１】特許公開平８−１７７２１８
【発明の開示】
【発明が解決しようとする課題】
【０００８】
上述した従来技術に係る木製タイルブロックやコンクリート製カラーブロック等にはそれぞれ次の問題があった。
・  木製タイルブロック等は複雑な工程で製作されるためコスト高となる。
・  木製タイルブロック等は板面を表面にしているため磨耗に弱い。
・  木製タイルブロック等は耐用年数が短い。
・  コンクリート製レンガブロックは地球温暖化防止素材でない。
・  上記いずれの床材も階段等の段差に対応できない。
・  木製タイルブロック等は無垢の木のタイル床としての利用以外に利用できない。
【０００９】
本発明は以上のような従来の欠点に鑑みて、使用目的に合わせて切断された柱材単体を複数の孔を開けた格子状の板材に複数の柱材単体を差込みビス固定して、形成することを特徴とする複数の無垢の木の柱材を集成した集柱体を提供する。
【課題を解決するための手段】
【００１０】
本発明は、上記の課題を解決するためになされたもので、請求項１記載の、複数の無垢の木の柱材を集成した集柱体であって、使用目的に合わせた寸法に切断した柱材単体の転倒防止突起を複数設け、複数の孔を開けた格子状の板材に複数の柱材単体を差込み、固定して形成することを特徴とする複数の無垢の木の柱材を集成した集柱体。この構成によって間伐材等の小径木が多種多様な商品化を可能し国産木材の需要を拡大する。
【００１１】
請求項２記載の、前記、複数の孔を開けた格子状の板材に複数の柱材単体を差込み、ビス固定して、形成することを特徴とする請求項１記載の複数の無垢の木の柱材を集成した集柱体。このような構成とすれば、複数の柱材単体が迅速且つ強固に固定ができる。
【００１２】
請求項３記載の、無垢の木の柱材をレンガ厚程度に切断して、複数の孔を開けた格子状の板材に複数の柱材単体を差込み、ビス固定して、耐磨耗木レンガ集柱体に形成することを特徴とする請求項２記載の複数の無垢の木の柱材を集成した集柱体。このような構成とすれば、地球温暖化防止の耐摩擦木レンガ集柱体となる。
【００１３】
請求項４記載の、無垢の木の柱材を複数の寸法に切断して形成した、厚さの異なる集柱体を組合せて、階段を構成することを特徴とする請求項２記載の複数の無垢の木の柱材を集成した集柱体。このような構成とすれば、地球温暖化防止の階段が迅速且つ強固に構築できる。
【００１４】
請求項５記載の、無垢の木の柱材をスロープ状に切断して形成した集柱体と、厚さの異なる集柱体を組合せてスロープを構成し、段差をスロープで解消することを特徴とする請求項２記載の複数の無垢の木の柱材を集成した集柱体。このような構成とすれば、地球温暖化防止のスロープが迅速且つ強固に構築できる。
【００１５】
請求項６記載の、無垢の木の柱材を複数の異なる寸法に切断し、複数の柱材単体を手摺子として利用し手摺を形成することを特徴とする請求項２記載の複数の無垢の木の柱材を集成した集柱体。このような構成とすれば、耐摩擦木レンガ集柱体の床に複数の柱材単体の手摺が迅速且つ強固に構築できる。
【００１６】
請求項７記載の、無垢の木の柱材を門柱の長さの寸法に切断して、ポストユニットと組み合わせて門柱を形成することを特徴とする請求項２記載の複数の無垢の木の柱材を集成した集柱体。このような構成とすれば、地球温暖化防止の門柱集柱体が迅速且つ強固に構築できる。
【００１７】
請求項８記載の、無垢の木の柱材の切断面を化粧面とし、無垢の木の柱材の切断寸法で全ての使用目的を達成させることを特徴とする請求項２記載の複数の無垢の木の柱材を集成した集柱体。このような構成とすれば、小径木の間伐材が大量に消費できる。
【発明の効果】
【００１８】
以上説明したように本発明によれば、複数の無垢の木の柱材を集成した集柱体は、径の小さい間伐材の90mm角柱材を使用目的に合わせて切断して、切断面を舗装面にして構成した、90mm角耐磨耗木レンガ集柱体、90mm角階段用耐磨耗木レンガ集柱体、90mm角スロープ用耐磨耗木レンガ集柱体などを組合わせて、無垢の木の木レンガ舗装・階段舗装・スロープ舗装が安価且つ敏速に構築できる。他方、90mm角が取れない径の小さい間伐材は60mm角柱材として利用できる。
【００１９】
また、本発明は従来のコンクリート製レンガブロックや磁器タイル貼り舗装などの市場や住宅のバルコニーやテラスなど大きな市場での需要が見込める。特に、地球温暖化時代に地球環境に優しい無垢の木の木レンガ集柱体は地球温暖化防止に欠かせない素材として大きな需要が見込める。
【００２０】
現在、日本の住宅も多世代が居住できる長期優良住宅(200年住宅)の普及の促進に関する法律が施行され、耐用年数の長い長期優良住宅が普及する時代が来た。無垢の木の木レンガ集柱体も長く持たせるために防蟻防腐剤の散布が必要となるが、無垢の木の木レンガ集柱体は切断面が舗装面になっているので、防蟻防腐剤の浸透効果がよく耐用年数を長くできる。
【００２１】
間伐材は90mm角以下の柱材が取れる丸太は価格が安価だが需要が少ない。しかしながら、丸太は根元が大きく上になると小さくなるため、元木は一般の柱材や板材が取れる丸太でも、上木になると90mm角以下しか取れない小径木になり、小径木の間伐材を含めて大量の小径木が丸太市場に出荷される。その需要は少なく価格が極端に安価であり、需要拡大の商品開発は森林業界の大きな課題である。本発明は、これら小径木を大量消費できる開発であり森林業界に多大な貢献ができる。
【００２２】
さらに、無垢の木の木レンガ集柱体を用いた木レンガ舗装が普及すれば、間伐材の需要拡大問題・植樹林の保全問題・疲弊する山村や林業の活性化・地球温暖化防止などに大きく社会貢献ができる。
【００２３】
以上、本発明は地球温暖化による異常気象が危惧されている現在、林業過疎地の活性化や地球温暖化防止に多大な貢献ができる。また、価格が安く需要が少ない小径木を使用することで低コストの無垢の木の木レンガ集柱体が作れるとともに安価な無垢の木の木レンガ舗装ができる。
【発明を実施するための最良の形態】
【００２４】
以下、本発明の実施の形態を図面に基づき詳細に説明する。
【００２５】
図１〜図11は本発明の実施の形態に係り、図１は本発明の集柱体を構成する格子状の板材を示す斜視図、図２は格子状の板材の裏面図、図３は90mm角耐磨耗木レンガ集柱体の平面詳細図、図４は90mm角耐磨耗木レンガ集柱体の施工断面詳細図、図５は60mm角耐磨耗木レンガ集柱体の平面詳細図、図６は60mm角耐磨耗木レンガ集柱体の施工断面詳細図、図７は90mm角耐磨耗木レンガ集柱体と90mm角階段用耐磨耗木レンガ集柱体を用いた施工断面詳細図、図８は90mm角耐磨耗木レンガ集柱体と90mm角スロープ用耐磨耗木レンガ集柱体を用いた施工断面詳細図、図９は90mm角門柱用集柱体の断面詳細図、図10は90mm角門柱用集柱体の使用例を示した姿図、図11は90mm角耐磨耗木レンガ集柱体と90mm角手摺用集柱体の使用例を示したバルコニーの斜視図である。
【００２６】
本発明の複数の無垢の木の柱材を集成した集柱体の構成は、図１〜図２に示すように、間伐材等の柱材を使用目的に合わせた寸法に切断した柱材単体３の転倒防止突起２を複数設け、複数の孔４を開けた格子状の板材１に複数の柱材単体３を差込みビス５で固定して集柱体を形成する。この構成によって小径木の間伐材は多種多様な商品化が可能となる。
【００２７】
図３は、間伐材の90mm角の柱材を長さ60mm(レンガ厚) 程度に切断した柱材単体３の転倒防止突起２を複数設け、複数の孔４を開けた格子状の板材１に16個の柱材単体３を差込みビス５で固定して形成した90mm角耐磨耗木レンガ集柱体６の平面詳細図である。
【００２８】
図４は、砂１２を敷き均した上に、前記、90mm角耐磨耗木レンガ集柱体６を敷き張り舗装して、砂１２で目地処理した90mm角耐磨耗木レンガ集柱体６の施工断面詳細図である。
【００２９】
図５は、間伐材の60mm角の柱材を長さ60mm(レンガ厚) 程度に切断した柱材単体３の転倒防止突起２を複数設け、複数の孔４を開けた格子状の板材１に36個の柱材単体３を差込みビス５で固定して形成した60mm角耐磨耗木レンガ集柱体７の平面詳細図である。
【００３０】
図６は、砂１２を敷き均した上に、前記、60mm角耐磨耗木レンガ集柱体７を敷き張り舗装して、砂１２で目地処理した60mm角耐磨耗木レンガ集柱体７の施工断面詳細図である。
【００３１】
図７は、砂１２を敷き均した上に、前記、90mm角耐磨耗木レンガ集柱体６と階段の蹴上分が厚い90mm角階段用耐磨耗木レンガ集柱体８を敷き張りして、階段を構成して段差を処理して、砂１２で目地処理した施工断面詳細図である。
【００３２】
図８は、砂１２を敷き均した上に、前記、90mm角耐磨耗木レンガ集柱体６と段差を解消する90mm角スロープ用耐磨耗木レンガ集柱体９を敷き張りして、スロープで段差を処理して、砂１２で目地処理した施工断面詳細図でバリアフリー化に特徴がある。
【００３３】
前記、間伐材で90mm角と記入してあるものは60mm角ほかの寸法にしても構成に影響するものではない。
【００３４】
図９、図１０は、間伐材の90mm角の柱材を長さ1,800mm程度に切断した柱材単体３の転倒防止突起２を複数設け、複数の孔４を開けた格子状の板材１に異なる長さの柱材単体３を差込みビス５で固定して、中央部にポストユニット１３を設けた門柱用集柱体１０の一部を地中に埋設した門柱用集柱体１０の姿図である。
【００３５】
図１１は、90mm角耐磨耗木レンガ集柱体６と90mm角耐磨耗木レンガ集柱体６の複数の柱材単体３を手摺子として伸ばした90mm角手摺用集柱体１１を組合せて、笠木手摺１８を取付けた住宅のテラスの斜視図で、開口部の段差を解消する階段を90mm角階段用耐磨耗木レンガ集柱体８が使用してある。施工については、バサモルタル１３を敷き均した上にセメントペースト１４で各木レンガ集柱体を敷き貼りして、モルタル１５で目地処理をする。手摺の形状変更は容易にできるとともに、90mm角階段用耐磨耗木レンガ集柱体８を90mm角スロープ用耐磨耗木レンガ集柱体９に替えれば容易にスロープが形成できる。
【実施例１】
【００３６】
現在、一般歩道・公園・広いエントランス広場などに、コンクリート製レンガブロックが多く使用されているが、そのコンクリート素材は輻射熱素材であり地球温暖化を加速させている。図４に示した、地盤面に砂１２を敷き均した上に、前記、90mm角耐磨耗木レンガ集柱体６を敷き張り舗装して砂１２で目地処理をした、90mm角耐磨耗木レンガ集柱体６での舗装は、一般歩道・公園・広いエントランス広場など、コンクリート製レンガブロック舗装と同等に舗装ができる。しかも、無垢の木の90mm角耐磨耗木レンガ集柱体６は地球環境に最も優しい低価格な素材であると共に軽量で施工性に優れている。他方、60mm角耐磨耗木レンガ集柱体７を使用した舗装にすれば、より低価格な木レンガ集柱体舗装ができる。
【００３７】
さらに、住宅などのアプローチやカーポートなどの床を、前記の工法と仕様で90mm角耐磨耗木レンガ集柱体６舗装仕上げにすれば地球温暖化時代に対応した地球温暖化防止の舗装仕上げとなる。
【００３８】
現在、賃貸マンションや分譲マンションが多く造られているが、コストを下げるためにバルコニーはモルタル仕上げが多く、素足で出ることに躊躇しなければならないマンションが多く作られている。このバルコニーのモルタル仕上げを下地として、90mm角耐磨耗木レンガ集柱体６又は60mm角耐磨耗木レンガ集柱体７を敷き張りして、部分的な固定をして目地板１７を挿入して連結すれば快適な木レンガ仕上げとなる。
【実施例２】
【００３９】
従来、段差を処理する階段はコンクリートなどで下地を造って、多くの役物で仕上るか、階段框で仕上げられている。これらの階段は、図７に示すように、90mm角耐磨耗木レンガ集柱体６と90mm角階段用耐磨耗木レンガ集柱体８を、地盤面に砂１２を敷き均した上に、敷き張り舗装して目地処理をすることで容易に階段が構成できる。
【実施例３】
【００４０】
従来、段差を処理するスロープはコンクリートなどで下地を造って、スロープが構築されていたが、図８に示すように、90mm角耐磨耗木レンガ集柱体６と90mm角スロープ用耐磨耗木レンガ集柱体９を、地盤面に砂１２を敷き均した上に、敷き張り舗装して目地処理をすることで容易にスロープが構成できる。
【実施例４】
【００４１】
従来、住宅の門柱は多種多様な門柱が氾濫しているが、ユーザーは異なる門柱を求め続けている。図9、図10に示した、間伐材の90mm角の柱材を長さ1,800mmに切断した柱材単体３と長さの異なる柱材単体３を組合わせた90mm角門柱用集柱体１０に、ポストユニット１９を取付けた門柱は形状変更と塗装によって多種多様な門柱となる。さらに、90mm角の柱材を60mm角の柱材に替えて使用することができる。
【実施例５】
【００４２】
従来の住宅のテラスは束石を用いた束立て工法が多く採用され高価格なものが多いい。
図11に示した、テラスは敷地の地均しした上に、90mm角耐磨耗木レンガ集柱体６を敷き張りして、手摺部分の90mm角耐磨耗木レンガ集柱体６の複数の柱材単体３を手摺子に伸ばした90mm角手摺用集柱体１１を組合せて添え張りして、笠木手摺１６を取付けることで容易に安価なテラスが構築できる。さらに、90mm角階段用耐磨耗木レンガ集柱体８と90mm角スロープ用耐磨耗木レンガ集柱体９を用いることで、開口部の段差が解消できる。また、固定方法はバサモルタル１３で固定するなどいろいろある。図11は90mm角耐磨耗木レンガ集柱体６と90mm角手摺用集柱体１１を組合わせた使用例を示したテラスの参考斜視図であり、多種多様な広さと形状のテラスが安価且つ容易に構成できる。
【００４３】
本発明は間伐材で製品にならない部分を有効利用したものであるが、90mm角耐磨耗木レンガ集柱体６、60mm角耐磨耗木レンガ集柱体７、90mm角階段用耐磨耗木レンガ集柱体８、90mm角スロープ用耐磨耗木レンガ集柱体９、90mm角門柱用集柱体１０、90mm角手摺用集柱体１１のいずれも軽量で加工性に優れている。しかも、間伐材の大量消費は国策であり、本発明により間伐材が大量に消費できれば植樹林の保全・林業や山村を活性化させ社会貢献できる。さらに、無垢の木は地球環境に最もやさしい循環型資源で地球温暖化防止に大きく貢献する。
【実施例６】
【００４４】
上記した舗装下地は砂１２を用いたが、バサモルタル１３を敷き均した上に木レンガ集柱体をセメントペースト１４で貼りつけてモルタル１５で目地処理をする場合もある。さらに、簡易固定と強固な固定を必要とする場合は、適切な判断で適宜に併用しての固定や目地処理が必要となる。
【００４５】
以上、本発明の実施の形態及び実施例を説明したが、本発明の範囲はこれに限定されるものではない。例えば、間伐材の柱材の90mm角及び60mm角に限定しているが、寸法を限定するものではない、さらに、格子状の板材の材質は樹脂製や金属製など使用目的に応じて変更するなど適宜選択されるものである。
【図面の簡単な説明】
【００４６】
【図１】集柱体を構成する格子状の板材を示す斜視図
【図２】格子状の板材の裏面図
【図３】90mm角耐磨耗木レンガ集柱体の平面詳細図
【図４】90mm角耐磨耗木レンガ集柱体の施工断面詳細図
【図５】60mm角耐磨耗木レンガ集柱体の平面詳細図
【図６】60mm角耐磨耗木レンガ集柱体の施工断面詳細図
【図７】90mm角耐磨耗木レンガ集柱体と90mm角階段用耐磨耗木レンガ集柱体を用いた施工断面詳細図
【図８】90mm角耐磨耗木レンガ集柱体と90mm角スロープ用耐磨耗木レンガ集柱体を用いた施工断面詳細図
【図９】90mm角門柱用集柱体の断面詳細図
【図１０】90mm角門柱用集柱体の使用例を示した姿図
【図１１】90mm角耐磨耗木レンガ集柱体と90mm角手摺用集柱体の使用例を示したバルコニーの斜視図
【符号の説明】
【００４７】
・  格子状の板材
・  転倒防止突起
・  柱材単体
・  複数の穴
・  ビス
・  90mm角耐磨耗木レンガ集柱体
・  60mm角耐磨耗木レンガ集柱体
・  90mm角階段用耐磨耗木レンガ集柱体
・  90mm角スロープ用耐磨耗木レンガ集柱体
・  90mm角門柱用集柱体
・  90mm角手摺用集柱体
・  砂
・  バサモルタル
・  セメントペースト
・  モルタル
・  目地
・  目地板
・  笠木手摺
・  ポストユニット
【図１】
2011038255.tif 000003
【図２】
2011038255.tif 000004
【図３】
2011038255.tif 000005
【図４】
2011038255.tif 000006
【図５】
2011038255.tif 000007
【図６】
2011038255.tif 000008
【図７】
2011038255.tif 000009
【図８】
2011038255.tif 000010
【図９】
2011038255.tif 000011
【図１０】
2011038255.tif 000012
【図１１】
2011038255.tif 000013